(57)【要約】【課題】  コンテンツを効果的に配信するコンテンツ配信システムを提供することを目的とする。【解決手段】  コンテンツ配信制御装置は、コンテンツデータの配信を制御する配信制御装置であって、イベントの進行に関するトリガーを検知する検知部と、前記検知部により検知されたトリガーに応じて、ユーザによるコンテンツデータの送信または受信を許可または禁止する配信方向制御部とを有する。好適には、前記検知部は、ユーザが既定の領域に存在することをトリガーとして検知する。【選択図】図４
2020027339.tif 000002
【特許請求の範囲】
【請求項１】
コンテンツデータの配信を制御する配信制御装置であって、
イベントの進行に関するトリガーを検知する検知部と、
前記検知部により検知されたトリガーに応じて、ユーザによるコンテンツデータの送信または受信を許可または禁止する配信方向制御部と
を有するコンテンツ配信制御装置。
【請求項２】
前記検知部は、ユーザが既定の領域に存在することをトリガーとして検知する
請求項１に記載のコンテンツ配信制御装置。
【請求項３】
前記検知部は、前記イベントのシナリオに従って、前記シナリオで定義された時刻の到来をトリガーとして検知する
請求項２に記載のコンテンツ配信制御装置。
【請求項４】
前記検知部は、前記イベントで使用する音響設備又は照明設備の切替え操作をトリガーとして検知する
請求項３に記載のコンテンツ配信制御装置。
【請求項５】
イベントに関与するユーザに関して、一部のユーザが属する第１のユーザグループと、および、他のユーザが属する第２のユーザグループとが定義されており、
前記配信方向制御部は、前記検知部により検知されたトリガーに応じて、第１のユーザグループから第２のユーザグループへのコンテンツデータの送信、又は、第２のユーザグループから第１のユーザグループへのコンテンツデータの送信を、許可する
請求項１に記載のコンテンツ配信制御装置。
【請求項６】
前記第１のユーザグループには、前記イベントのホスト側のユーザが属し、
前記第２のユーザグループには、前記イベントのゲスト側のユーザが属し、
前記配信方向制御部は、既定のトリガーが検知された場合に、前記ゲスト側のユーザによるコンテンツデータの送信を許可する
請求項５に記載のコンテンツ配信制御装置。
【請求項７】
前記ゲスト側のユーザから送信されたコンテンツデータに基づく、コンテンツの表示を許可する表示制御手段
をさらに有する請求項６に記載のコンテンツ配信制御装置。
【請求項８】
前記配信方向制御部は、前記イベントの開催時間を含む既定の期間以外である場合、又は、前記イベントの開催場所を含む既定の領域外にユーザが存在する場合に、コンテンツデータの送信及び受信を禁止する
請求項６に記載のコンテンツ配信制御装置。
【請求項９】
前記検知部は、前記第１のユーザグループに属するユーザと、前記第２のユーザグループに属するユーザとの間の距離が既定の範囲内となったことを、前記トリガーとして検知する
請求項５に記載のコンテンツ配信制御装置。
【請求項１０】
前記検知部は、前記ゲスト側のユーザから送信されたコンテンツデータの数又はデータ量が既定の範囲内となったことを、前記トリガーとして検知する
請求項６に記載のコンテンツ配信制御装置。
【請求項１１】
前記イベントは、少なくとも一つのサブイベントを含み、
前記検知部は、前記サブイベントに対するユーザの投票数又はエントリー数が既定の範囲内となったことを、前記トリガーとして検知する
請求項１に記載のコンテンツ配信制御装置。
【請求項１２】
前記ユーザから受信したコンテンツデータの中から、前記検知部により検知されたトリガーの特性に応じて、表示するコンテンツを選択するコンテンツ選択部
をさらに有する請求項４に記載のコンテンツ配信制御装置。
【請求項１３】
コンテンツデータの配信を制御する配信制御装置であって、
イベントの進行に関するトリガーを検知する検知部と、
前記検知部により検知されたトリガーに応じて、ユーザによる画像データの送信を許可または禁止する配信方向制御部と、
ユーザから送信された画像データに基づいて、画像と、他のコンテンツにアクセスするための情報とを印刷する印刷部と
を有するコンテンツ配信制御装置。
【請求項１４】
コンテンツデータの送受信を制御するコンテンツ配信制御装置と、
前記コンテンツデータに基づいて、コンテンツを表示する表示装置と
を含み、
前記コンテンツ配信制御装置は、
イベントの進行に関するトリガーを検知する検知部と、
前記検知部により検知されたトリガーに応じて、ユーザによるコンテンツデータの送信または受信を許可または禁止する配信方向制御部と
を有し、
前記表示装置は、前記ユーザから受信したコンテンツデータに基づいて、コンテンツを表示する
コンテンツ配信システム。
【請求項１５】
イベントの進行に関するトリガーを検知するステップと、
検知された前記トリガーに応じて、ユーザによるコンテンツデータの送信または受信を許可または禁止するステップと
を有するコンテンツ配信方法。
【請求項１６】
イベントの進行に関するトリガーを検知するステップと、
検知された前記トリガーに応じて、ユーザによるコンテンツデータの送信または受信を許可または禁止するステップと
をコンピュータに実行させるプログラム。
【発明の詳細な説明】
【技術分野】
【０００１】
本発明は、コンテンツ配信制御装置、コンテンツ配信システム、コンテンツ配信方法、及びプログラムに関する。
【背景技術】
【０００２】
例えば、特許文献１には、コンテンツ配信サーバと、UI装置を備えた端末装置と、端末制御装置とを備えたコンテンツ配信システムにおいて、コンテンツ配信サーバは、配信時間割テーブルに基づき配信スケジュールリストを作成する配信時間制御手段と、配信予定コンテンツに対して所定の配信条件に適合するユーザを選択し、配信ユーザリストを作成する配信ユーザ選択手段と、所定の表示条件を参照することにより端末装置へのコンテンツ表示方法を決定する配信画面制御手段とを備え、UI装置は、音声認識手段、及びポインティングデバイスの双方またはいずれかを備え、端末制御装置は、経路情報センターから接続先となるコンテンツ配信サーバの情報を取得し、当該コンテンツ配信サーバに自動的に接続する手段を備えるコンテンツ配信システムが開示されている。
特許文献２には、イベント主催者端末３０からイベント開催申込み情報を受信すると共に、参加者端末５０からメッセージを受信し、上記メッセージの閲覧要求をイベント主催者端末から受信し、イベント識別情報に基づき抽出したメッセージをイベント主催者端末へ送信し、公開可否情報を含むメッセージ公開情報を上記イベント主催者端末から受信し、公開可能なメッセージだけを抽出して編集するメッセージ編集支援装置が開示されている。
特許文献３には、管理サーバ２０が，携帯端末１０からコンテンツデータを受信する端末通信部２１と，受信したコンテンツデータを蓄積するデータベース２２と，データベース２２の中から所望のコンテンツデータを抽出する管理制御部２３と，抽出されたコンテンツデータを演出制御装置３０に送信する制御装置通信部２４を有し、演出制御装置３０が，管理サーバ２０からコンテンツデータを受信する通信部３１と，受信したコンテンツデータを編集するコンテンツ編集部３２と，演出出力装置４０を制御して編集後のコンテンツデータを出力させる装置制御部３３とを有する演出システムが開示されている。
特許文献４には、イベント関連コンテンツを提供するためのシステムにおいて、イベントを撮影するためのカメラセット１１０、１１１、１１２と、カメラからビデオストリームを受信するように適応された中央ユニット１２０と、イベントサイトにある複数のユーザー端末１４０と、中央ユニットによりアクセス可能であるイベント関連編集コンテンツのソース１６０と、ローカル無線ネットワーク１３０を介して中央ユニット１２０により提供されるイベント関連編集コンテンツおよびビデオストリームを、専用ユーザーインターフェースを通して選択的に表示するためにユーザー端末１４０内に具備されている手段、とを含むシステムが開示されている。
【先行技術文献】
【特許文献】
【０００３】
【特許文献１】特開２００７−２０１７４２
【特許文献２】特開２００８−０１５５８８
【特許文献３】特開２０１７−０１６４４２
【特許文献４】特開２０１８−０３８０５６
【発明の概要】
【発明が解決しようとする課題】
【０００４】
コンテンツを効果的に配信するコンテンツ配信システムを提供することを目的とする。
【課題を解決するための手段】
【０００５】
本発明に係るコンテンツ配信制御装置は、コンテンツデータの配信を制御する配信制御装置であって、イベントの進行に関するトリガーを検知する検知部と、前記検知部により検知されたトリガーに応じて、ユーザによるコンテンツデータの送信または受信を許可または禁止する配信方向制御部とを有する。
【０００６】
好適には、前記検知部は、ユーザが既定の領域に存在することをトリガーとして検知する。
好適には、前記検知部は、前記イベントのシナリオに従って、前記シナリオで定義された時刻の到来をトリガーとして検知する。
【０００７】
好適には、前記検知部は、前記イベントで使用する音響設備又は照明設備の切替え操作をトリガーとして検知する。
好適には、イベントに関与するユーザに関して、一部のユーザが属する第１のユーザグループと、および、他のユーザが属する第２のユーザグループとが定義されており、前記配信方向制御部は、前記検知部により検知されたトリガーに応じて、第１のユーザグループから第２のユーザグループへのコンテンツデータの送信、又は、第２のユーザグループから第１のユーザグループへのコンテンツデータの送信を、許可する。
好適には、前記第１のユーザグループには、前記イベントのホスト側のユーザが属し、前記第２のユーザグループには、前記イベントのゲスト側のユーザが属し、前記配信方向制御部は、既定のトリガーが検知された場合に、前記ゲスト側のユーザによるコンテンツデータの送信を許可する。
【０００８】
好適には、前記ゲスト側のユーザから送信されたコンテンツデータに基づく、コンテンツの表示を許可する表示制御手段をさらに有する。
好適には、前記配信方向制御部は、前記イベントの開催時間を含む既定の期間以外である場合、又は、前記イベントの開催場所を含む既定の領域外にユーザが存在する場合に、コンテンツデータの送信及び受信を禁止する。
【０００９】
好適には、前記検知部は、前記第１のユーザグループに属するユーザと、前記第２のユーザグループに属するユーザとの間の距離が既定の範囲内となったことを、前記トリガーとして検知する。
好適には、前記検知部は、前記ゲスト側のユーザから送信されたコンテンツデータの数又はデータ量が既定の範囲内となったことを、前記トリガーとして検知する。
【００１０】
好適には、前記イベントは、少なくとも一つのサブイベントを含み、前記検知部は、前記サブイベントに対するユーザの投票数又はエントリー数が既定の範囲内となったことを、前記トリガーとして検知する。
好適には、前記ユーザから受信したコンテンツデータの中から、前記検知部により検知されたトリガーの特性に応じて、表示するコンテンツを選択するコンテンツ選択部をさらに有する。
【００１１】
また、本発明に係る配信制御装置は、コンテンツデータの配信を制御する配信制御装置であって、イベントの進行に関するトリガーを検知する検知部と、前記検知部により検知されたトリガーに応じて、ユーザによる画像データの送信を許可または禁止する配信方向制御部と、ユーザから送信された画像データに基づいて、画像と、他のコンテンツにアクセスするための情報とを印刷する印刷部とを有する。
【００１２】
また、本発明に係るコンテンツ配信システムは、コンテンツデータの送受信を制御するコンテンツ配信制御装置と、前記コンテンツデータに基づいて、コンテンツを表示する表示装置とを含み、前記コンテンツ配信制御装置は、イベントの進行に関するトリガーを検知する検知部と、前記検知部により検知されたトリガーに応じて、ユーザによるコンテンツデータの送信または受信を許可または禁止する配信方向制御部とを有し、前記表示装置は、前記ユーザから受信したコンテンツデータに基づいて、コンテンツを表示する。
【００１３】
また、本発明に係るコンテンツ配信方法は、イベントの進行に関するトリガーを検知するステップと、検知された前記トリガーに応じて、ユーザによるコンテンツデータの送信または受信を許可または禁止するステップとを有する。
【００１４】
また、本発明に係るプログラムは、イベントの進行に関するトリガーを検知するステップと、検知された前記トリガーに応じて、ユーザによるコンテンツデータの送信または受信を許可または禁止するステップとをコンピュータに実行させる。
【発明の効果】
【００１５】
コンテンツを効果的に配信するコンテンツ配信システムを提供できる。
【図面の簡単な説明】
【００１６】
【図１】コンテンツ配信システム１の全体構成を例示する図である。
【図２】イベントの進行とコンテンツ配信の関係を説明する図である。
【図３】配信サーバ２のハードウェア構成を例示する図である。
【図４】配信サーバ２の機能構成を例示する図である。
【図５】（Ａ）は、設定情報ＤＢ２７０に登録されるトリガー設定情報を例示し、（Ｂ）は、設定情報ＤＢ２７０に登録されるユーザグループ情報を例示する図である。
【図６】設定情報ＤＢ２７０に登録されるコンテンツ選択設定情報を例示する図である。
【図７】配信サーバ２によるコンテンツ配信処理（Ｓ１０）を説明するフローチャートである。
【図８】コンテンツの公開／非公開とイベントの進行との関係を例示する図である。
【図９】（Ａ）は、人感センサによるトリガーでコンテンツが配信されるケースを例示する図であり、（Ｂ）は、複数地点の通過をトリガーとしてコンテンツが配信されるケースを例示する図である。
【図１０】（Ａ）は、マイクＯｎをトリガーとしてコンテンツ投稿を受け付けるケースを例示する図であり、（Ｂ）は、シナリオに定義された時刻と、他のトリガー要素とを組み合わせてコンテンツを配信するケースを例示する図である。
【図１１】ゲストが投稿したコンテンツ８００が印刷された印刷物８を例示する図である。
【図１２】サブイベントに対する投票数の集計結果を例示する図である。
【発明を実施するための形態】
【００１７】
以下、本発明の実施形態を、図面を参照して説明する。
図１は、コンテンツ配信システム１の全体構成を例示する図である。
図１に例示するように、コンテンツ配信システム１は、配信サーバ２と、プロジェクタ３と、プリンタ４と、照明機器や音響機器等に取り付けられたＩｏＴセンサ５とを有し、これらがネットワーク７を介して互いに接続している。さらに、イベントのホスト側のユーザが使用するホスト端末９００と、イベントのゲスト側のユーザが使用するゲスト端末９５０とが、ネットワーク７を介して、配信サーバ２に接続している。
【００１８】
配信サーバ２は、本発明に係るコンテンツ配信制御装置の一例であり、配信プログラム２２（Ｗｅｂプログラム）が動作するコンピュータ端末であるが、これに限定されるものではない。本例の配信サーバ２は、ＩｏＴセンサ５等からの検知結果に基づいて、イベントの進行に関するトリガーを検知し、検知されたトリガーに応じて、ホスト端末９００及びゲスト端末９５０によるコンテンツデータの送信または受信を許可または禁止して、コンテンツデータの配信方向を制御する。
【００１９】
プロジェクタ３は、本発明に係る表示装置の一例であり、ユーザ（ホスト端末９００又はゲスト端末９５０）から受信したコンテンツデータに基づいて、コンテンツを表示する。例えば、プロジェクタ３は、ゲスト端末９５０から投稿された画像データを、配信サーバ２からの指示に従って、スクリーンに投影する。
【００２０】
プリンタ４は、配信サーバ２からの指示に応じて、画像を印刷する印刷装置である。例えば、プリンタ４は、ゲスト端末９５０から投稿された画像データを、配信サーバ２からの指示に従って印刷する。
【００２１】
ＩｏＴセンサ５は、機器や器具の状態を検知する通信機能付きセンサーである。例えば、ＩｏＴセンサ５は、照明機器や音響機器等に取り付けられており、照明機器や音響機器等のスイッチのＯｎ／Ｏｆｆを検知し、検知結果を配信サーバ２に送信する。本例のＩｏＴセンサ５は、スポットライト等の照明機器、マイク等の音響機器、人感センサ、ドアの開閉を検知するドア開閉センサ、及び、緞帳の開閉を行うシステムの緞帳開閉センサに取り付けられており、これらの状態を配信サーバ２に送信する。
【００２２】
ホスト端末９００及びゲスト端末９５０は、ユーザが操作する携帯型のコンピュータ端末である。より具体的には、ホスト端末９００は、イベントのホスト側（主催者側）のユーザが操作するコンピュータ端末であり、ゲスト端末９５０は、イベントのゲスト側（参加者側）のユーザが操作するコンピュータ端末であり、本例のホスト端末９００及びゲスト端末９５０は、Ｗｅｂ上で動作するＷｅｂプログラムが動作するスマートフォンであり、ＧＰＳ信号に基づいて、端末の位置情報を外部に発信することができる。
【００２３】
図２は、イベントの進行とコンテンツ配信の関係を説明する図である。なお、本例では、結婚式をイベントの一例として説明するが、これに限定されるものではない。
図２に例示するように、結婚式場には、複数の会場（本例では、結婚式を行う「チャペルＡ」と、披露宴を行う「披露宴会場Ｂ」）が含まれている。さらに、チャペルＡには、結婚式が行われるチャペル内部（区画Ａ１）と、ブーケトス等が行われるエントランス領域（区画Ａ２）が含まれる。同様に、披露宴会場Ｂには、新郎新婦の席が設けられた区画Ｂ１と、ゲストの席が設けられた区画Ｂ２と、ロビー（区画Ｂ３）が含まれている。結婚式のホストである新郎新婦と、結婚式のゲストとは、これらの区画を移動しながら、サブイベント（挙式、ブーケトス、記念撮影、披露宴等）に参加する。
これらのサブイベントでは、それぞれに演出がなされ、その一部としてコンテンツの配信がコンテンツ配信システム１によって行われる。したがって、コンテンツ配信システム１によるコンテンツ配信は、イベントの進行に合致したものであることが好ましい。また、コンテンツ配信が演出の一部であるため、実際にイベントに参加しているゲストのみにコンテンツを配信することが好ましい。
そこで、本例のコンテンツ配信システム１は、時刻、ホスト端末９００又はゲスト端末９５０の位置、及び、マイクやスポットライトのＯｎ／Ｏｆｆに基づいて、イベントの進行に関するトリガーを検知し、検知されたトリガーに基づいて、ホスト端末９００及びゲスト端末９５０によるコンテンツデータの送信及び受信を制御する。特に、本例では、ゲスト参加型のイベントであるため、ゲストによるコンテンツデータの送受信の制御が重要である。例えば、ゲストが撮影した画像（ブーケトスや記念撮影の時に撮影された静止画）の投稿をタイミングよく促したり、披露宴中にスクリーンに画像を投影している際に、ゲストによるコンテンツのダウンロード及びアップロードを禁止して、スクリーンに注目してもらうことが、演出上重要になる。
【００２４】
図３は、配信サーバ２のハードウェア構成を例示する図である。
図３に例示するように、配信サーバ２は、ＣＰＵ２００、メモリ２０２、ＨＤＤ２０４、ネットワークインタフェース２０６（ネットワークＩＦ２０６）、表示装置２０８、及び入力装置２１０を有し、これらの構成はバス２１２を介して互いに接続している。
ＣＰＵ２００は、例えば、中央演算装置である。
メモリ２０２は、例えば、揮発性メモリであり、主記憶装置として機能する。
ＨＤＤ２０４は、例えば、ハードディスクドライブ装置であり、不揮発性の記録装置としてコンピュータプログラム（例えば、図４の配信プログラム２２）やその他のデータファイルを格納する。
ネットワークＩＦ２０６は、有線又は無線で通信するためのインタフェースである。
表示装置２０８は、例えば、液晶ディスプレイである。
入力装置２１０は、例えば、キーボード及びマウスである。
【００２５】
図４は、配信サーバ２の機能構成を例示する図である。
図４に例示するように、配信サーバ２には、配信プログラム２２がインストールされ、コンテンツデータベース２６０（コンテンツＤＢ２６０）及び設定情報データベース２７０（設定情報ＤＢ２７０）が構成されている。配信プログラム２２は、例えば、ＣＤ−ＲＯＭ等の記録媒体に格納されており、この記録媒体を介して、配信サーバ２にインストールされる。
なお、配信プログラム２２の一部又は全部は、ＡＳＩＣなどのハードウェアにより実現されてもよく、また、ＯＳ（Ｏｐｅｒａｔｉｎｇ Ｓｙｓｔｅｍ）の機能を一部借用して実現されてもよい。また、これらのプログラム全てが一台のコンピュータ端末にインストールされてもよいし、クラウド上の仮想マシンにインストールされてもよい。
【００２６】
配信プログラム２２は、トリガー検知部２２０、配信方向制御部２２２、コンテンツ受信部２２４、コンテンツ送信部２２６、コンテンツ選択部２２８、表示制御部２３０、及び印刷部２３２を有する。
配信プログラム２２において、トリガー検知部２２０は、イベントの進行に関するトリガーを検知する。ここで、トリガーの検知とは、予め設定されたトリガーの条件が満たされたことを検知することである。例えば、トリガー検知部２２０は、ホスト端末９００又はゲスト端末９５０が既定の領域（例えば、図２の区画Ａ２）に存在することをトリガーとして検知する。また、トリガー検知部２２０は、イベントのシナリオに従って、このシナリオで定義された時刻の到来をトリガーとして検知してもよいし、イベントで使用する音響機器又は照明機器の切替え操作をトリガーとして検知してもよいし、これらの組合せをトリガーとして検知してもよい。
トリガー検知部２２０は、第１のユーザグループに属するユーザ（例えば、ホスト）と、第２のユーザグループに属するユーザ（例えば、ゲスト）との間の距離が既定の範囲となったことを、トリガーとして検知してもよい。
トリガー検知部２２０は、ゲスト側のユーザから送信されたコンテンツデータの数又はデータ量が既定の範囲内となったことを、トリガーとして検知してもよい。
【００２７】
配信方向制御部２２２は、トリガー検知部２２０により検知されたトリガーに応じて、ユーザによるコンテンツデータの送信又は受信を許可又は禁止して、コンテンツデータの配信方向を制御する。コンテンツデータの配信方向とは、例えば、ホスト端末９００からゲスト端末９５０、ゲスト端末９５０からホスト端末９００、ホスト端末９００又はゲスト端末９５０から配信サーバ２、及び、配信サーバ２からホスト端末９００又はゲスト端末９５０である。例えば、配信方向制御部２２２は、トリガー検知部２２０により検知されたトリガーに応じて、第１のユーザグループ（ホスト側）から第２のユーザグループ（ゲスト側）へのコンテンツデータの送信、又は、第２のユーザグループ（ゲスト側）から第１のユーザグループ（ホスト側）へのコンテンツデータの送信を、許可する。
【００２８】
また、配信方向制御部２２２は、イベントの開催時間を含む既定の期間以外である場合、又は、イベントの開催場所を含む既定の領域外にユーザ（ホスト端末９００又はゲスト端末９５０）が存在する場合に、コンテンツデータの送信及び受信を禁止する。
【００２９】
コンテンツ受信部２２４は、配信方向制御部２２２からの制御に応じて、ホスト端末９００又はゲスト端末９５０からコンテンツデータを受信し、受信したコンテンツデータをコンテンツＤＢ２６０に格納する。本例のコンテンツ受信部２２４は、配信方向制御部２２２により許可されたユーザグループ（ホスト端末９００又はゲスト端末９５０）から、コンテンツデータを受信する。
【００３０】
コンテンツ送信部２２６は、配信方向制御部２２２からの制御に応じて、ホスト端末９００又はゲスト端末９５０に対してコンテンツデータを送信する。コンテンツデータは、プッシュ型でホスト端末９００又はゲスト端末９５０に送信してもよいし、ホスト端末９００又はゲスト端末９５０からの要求に応じて送信してもよい。本例のコンテンツ送信部２２６は、配信方向制御部２２２により許可されたユーザグループ（ホスト端末９００又はゲスト端末９５０）に対して、コンテンツ選択部２２８により選択されたコンテンツデータをコンテンツＤＢ２６０から読み出し、送信する。
【００３１】
コンテンツ選択部２２８は、ユーザ（ホスト端末９００又はゲスト端末９５０）から受信したコンテンツデータの中から、トリガー検知部２２０により検知されたトリガーの特性に応じて、送信又は表示するコンテンツを選択する。例えば、コンテンツ選択部２２８は、ホスト端末９００及びゲスト端末９５０から受信したコンテンツデータの中から、トリガー検知部２２０により検知されたトリガーの特性に応じて、ホスト端末９００から受信したコンテンツデータ、又は、ゲスト端末９５０から受信したコンテンツデータを選択する。
【００３２】
表示制御部２３０は、ゲスト側のユーザ（ゲスト端末９５０）から送信されたコンテンツデータに基づくコンテンツの表示を許可する。本例の表示制御部２３０は、コンテンツ選択部２２８により選択されたコンテンツデータを、プロジェクタ３に投影させる。
【００３３】
印刷部２３２は、ユーザから送信された画像データに基づいて、画像と、他のコンテンツにアクセスするための情報とを印刷する。例えば、印刷部２３２は、ホスト端末９００又はゲスト端末９５０から受信したコンテンツデータ（静止画像）と、ホスト側ユーザの参加お礼メッセージが含まれたコンテンツにアクセスするためのＱＲコード（登録商標）とを一枚の印刷媒体に印刷するようプリンタ４を制御する。
【００３４】
図５（Ａ）は、設定情報ＤＢ２７０に登録されるトリガー設定情報を例示し、図５（Ｂ）は、設定情報ＤＢ２７０に登録されるユーザグループ情報を例示する図である。
図５（Ａ）に例示するように、設定情報ＤＢ２７０には、トリガーの条件と、制御内容とを互いに関連付けて登録される。例えば、トリガー条件には、既定の日時の到来と、既定の領域（例えば、区画Ａ）に存在していることとの組合せが設定される。すなわち、トリガー検知部２２０は、トリガー設定情報を参照して、既定の日時（２０１８年８月１９日１０時）が到来し、かつ、ゲスト端末９５０が区画Ａに存在することをトリガーとして検知すると、配信方向制御部２２２は、配信サーバ２からゲスト端末９５０へのコンテンツ（ファイルＡ）の自動配信（プッシュ型配信）を指示する。
同様に、２０１８年８月１９日１１時になり、かつ、区画Ａにホスト端末９００及びゲスト端末９５０が存在し、かつ、マイクがＯｎになったことがトリガーとして検知されると、ホスト端末９００からゲスト端末９５０へのコンテンツデータの送信が許可される。また、２０１８年８月１９日１５時になり、かつ、区画Ｂにゲスト端末９５０が存在し、かつ、プロジェクタ３がＯｎになり、かつ、音響機器で音楽ファイルＡが再生されたことがトリガーとして検知されると、ゲスト端末９５０から配信サーバ２へのコンテンツデータのアップロードが許可される。
【００３５】
イベントに関与するユーザは、複数のユーザグループに分けて管理される。本例では、図５（Ｂ）に例示するように、イベントのホスト側のユーザが操作する端末は、ホスト端末９００として管理され、イベントのゲスト側のユーザが操作する端末は、ゲスト端末９５０として管理される。なお、本例では、イベントのホスト及びゲストの２種類のユーザグループが定義された形態を具体例として説明するが、これに限定されるものではなく、３つ以上のユーザグループが定義されてもよい。
【００３６】
図６は、設定情報ＤＢ２７０に登録されるコンテンツ選択設定情報を例示する図である。
図６に例示するように、設定情報ＤＢ２７０には、トリガーの特性に関連付けて、コンテンツ選択部２２８により選択されるコンテンツの種類が登録されている。例えば、照明に関するトリガーについて、照明機器がＯｎになって、基準以上に特定の区画が明るくなったと推定される場合には、音声ファイルの選択が許可され、画像ファイルの選択が禁止される。
このように、トリガーの特性上、演出効果を減殺するようなコンテンツは、選択されないように設定できる。
【００３７】
図７は、配信サーバ２によるコンテンツ配信処理（Ｓ１０）を説明するフローチャートである。
図７に例示するように、ステップ１００（Ｓ１００）において、配信サーバ２のトリガー検知部２２０は、開始トリガーが検知されるまで待機し、開始トリガーが検知されると、Ｓ１０５の処理に移行する。開始トリガーは、例えば、予め設定された時刻（結婚式の受付開始時刻など）の到来である。
【００３８】
ステップ１０５（Ｓ１０５）において、トリガー検知部２２０は、ＩｏＴセンサ５から受信した検知結果、ホスト端末９００及びゲスト端末９５０から受信する位置情報、及び、現在時刻などをトリガーの要素として収集する。
ステップ１１５（Ｓ１１５）において、トリガー検知部２２０は、収集したトリガーの要素がいずれかのトリガー条件に合致した場合に、Ｓ１２０の処理に移行し、いずれのトリガー条件にも合致しない場合に、Ｓ１０５に戻る。
【００３９】
ステップ１２０（Ｓ１２０）において、トリガー検知部２２０は、検知したトリガーに対応する制御内容を配信方向制御部２２２に通知する。
配信方向制御部２２２は、トリガー検知部２２０から通知された制御内容に従って、コンテンツデータの送受信を制御する。なお、送受信されるコンテンツデータは、コンテンツ選択部２２８により選択される。
【００４０】
ステップ１２５（Ｓ１２５）において、トリガー検知部２２０は、終了トリガーが検知されたか否かを判断し、終了トリガーが検知された場合、Ｓ１３５の処理に移行し、終了トリガーが検知されていない場合、Ｓ１０５の処理に戻る。終了トリガーは、例えば、予め設定された時刻（披露宴の終了からｎ時間経過した時）の到来である。
【００４１】
ステップ１３５（Ｓ１３５）において、配信方向制御部２２２は、コンテンツＤＢ２６０に格納されているコンテンツデータを削除する。
【００４２】
このように、コンテンツ配信システム１では、予め設定されたトリガー条件に合致したタイミングで、コンテンツデータの配信が行われる。
【００４３】
図８は、コンテンツの公開／非公開とイベントの進行との関係を例示する図である。
図８に例示するように、イベントの準備期間において、ゲストがコンテンツを事前にアップロードできる事前登録期間を設定することができる。この場合、トリガー検知部２２０が事前登録期間（２０１８年５月１日）の到来を検知すると、配信方向制御部２２２は、ゲスト端末９５０から配信サーバ２へのコンテンツの送信を許可して、コンテンツの事前登録を可能にすると共に、配信サーバ２からゲスト端末９５０への送信を禁止して、事前登録されたコンテンツを非公開とする。なお、ホスト端末９００は、配信方向制御部２２２により、事前登録されたコンテンツを参照できる。
イベント当日であっても、同様にイベント開催時間（１０時から１６時）の前に事前登録期間（７時から１０時）を設定することができる。
そして、イベント開催時間が到来し、かつ、ゲスト端末９５０が会場の半径２０ｍ以内の区画に存在することがトリガー検知部２２０に検知されると、配信方向制御部２２２は、公開コンテンツに関して、配信サーバ２からゲスト端末９５０への送信を許可して、ゲストに参照可能とする。なお、本例では、公開コンテンツは、ゲスト端末９５０にインストールされた専用アプリによって参照可能となり、公開コンテンツに対してＳＮＳ配信不可に設定されている場合には、この専用アプリ内でのみ閲覧可能であり、ＳＮＳ配信が禁止される。
【００４４】
図９（Ａ）は、人感センサによるトリガーでコンテンツが配信されるケースを例示する図であり、図９（Ｂ）は、複数地点の通過をトリガーとしてコンテンツが配信されるケースを例示する図である。
図９（Ａ）に例示するように、会場の特定の区画（本例では、檀上）には、ＩｏＴセンサ５が接続された人感センサが設置されており、トリガー検知部２２０が、ゲスト端末９５０が会場内に存在し、かつ、イベントの開催時刻が到来し、かつ、人感センサが人の登壇を検知したことをトリガーとして検知した場合に、配信方向制御部２２２は、会場内のゲスト端末９５０にコンテンツデータの配信を開始する。例えば、演者が登壇したタイミングで、演目に関するコンテンツを会場内のゲストに配信することができ、タイムリーな演出が可能になる。仮に、タイムスケジュールのみに従ってコンテンツを配信する場合には、演者の登壇が遅れたとき等に対応できないが、人感センサによる演者の登壇の検知をトリガー要素とすることにより、登壇のタイミングにあわせたコンテンツ配信が可能になる。
【００４５】
また、図９（Ｂ）に例示するように、ホスト端末９００が複数の地点（Ａ地点及びＢ地点）を通過したことをトリガー条件としてもよい。例えば、シナリオ上、ホスト側ユーザがＡ地点を通過し、その後、Ｂ地点に到着したタイミングでコンテンツを配信することになっていた場合、Ｂ地点到着のみをトリガー条件とすると、ホスト側ユーザがうっかりＢ地点に立ち寄ってしまった場合にも、コンテンツが配信されてしまう。複数の地点の通過をトリガー条件とすることにより、シナリオに沿ってユーザが移動した場合にのみ、シナリオに沿ったコンテンツ配信が行われるため好適である。
【００４６】
図１０（Ａ）は、マイクＯｎをトリガーとしてコンテンツ投稿を受け付けるケースを例示する図であり、図１０（Ｂ）は、シナリオに定義された時刻と、他のトリガー要素とを組み合わせてコンテンツを配信するケースを例示する図である。
図１０（Ａ）に例示するように、会場内に設置されたマイクにはＩｏＴセンサ５が接続され、会場中央にビーコン発信機が設置されている。トリガー検知部２２０が、ＩｏＴセンサ５に接続されたマイクがＯｎになり、かつ、ビーコン発信機からビーコン信号を受信可能な範囲にゲスト端末９５０が存在することをトリガーとして検知した場合に、配信方向制御部２２２は、これらのゲスト端末９５０からコンテンツデータのアップロードを許可する。例えば、司会者がマイクを使って、写真のアップロードを呼び掛けたタイミングから、配信サーバ２は、写真のアップロードを受け付けることができる。
【００４７】
また、図１０（Ｂ）に例示するように、シナリオ上にコンテンツの動的配信期間を設定し、これらの配信期間に他のトリガー条件を付加することができる。例えば、動的配信期間Ａに関しては、会場内のゲスト端末９５０の数が基準値以上であることをプロジェクタ投影のトリガー要素とし、動的配信期間Ｂに関しては、ゲスト端末９５０から配信サーバ２にアップロードされた写真の数又はデータサイズが基準値以上であることを印刷のトリガー要素とする。この場合、トリガー検知部２２０が、動的配信期間Ａが到来し、かつ、会場内の存在するゲスト端末９５０の数が基準値以上となったことを検知すると、配信方向制御部２２２は、プロジェクタ３でコンテンツ（スライドショーなど）を投影させるよう表示制御部２３０に指示する。これにより、例えば、披露宴会場内のゲストの数が一定数以上になった段階で、プロジェクタ投影を開始できる。
また、トリガー検知部２２０が、動的配信期間Ｂが到来し、かつ、ゲスト端末９５０からアップロードされた写真の数又はデータ細部が基準値以上になったことを検知すると、配信方向制御部２２２は、配信サーバ２にアップロードされた写真をプリンタ４で印刷するよう印刷部２３２に指示する。印刷される印刷物８は、例えば、図１１に例示するように、ゲストからアップロードされた写真（コンテンツ８００）と、他のコンテンツ（ホストが提供する動画像など）にアクセスするためのアクセス情報８０２とを含む。この印刷物８により、ゲスト間でコンテンツを共有できることに加えて、印刷物８を介したゲスト−ホスト間の交流が実現できる。
【００４８】
以上説明したように、本実施形態のコンテンツ配信システム１によれば、イベントの進行に関するトリガーに応じて、コンテンツデータの配信方向を制御することができる。これにより、イベントの進行状況に応じて、ホストからゲストにコンテンツを一斉配信したり、ゲストからコンテンツの投稿を受け付けることができる。ゲスト参加型のイベントにおいて特に好適である。
また、音響機器や照明機器のＯｎ／Ｏｆｆをトリガー要素とすることにより、シナリオから遅れてイベントが進行した場合等でも、タイムリーなコンテンツ配信が実現できる。
【００４９】
［変形例１］
次に、上記実施形態の変形例を説明する。
変形例１では、インベント内に複数のサブイベントが用意されており、サブイベントに対するゲストの投票数に応じて、サブイベントの進行を決定する場合を説明する。すなわち、サブイベントに対するゲストの投票数がトリガー要素となっている。
図１２は、サブイベントに対する投票数の集計結果を例示する図である。
図１２に例示するように、トリガー検知部２２０は、サブイベント毎の投票数を集計し、集計された投票数が、サブイベント毎に設定された基準値を超えたことを条件として、サブイベントを開始するよう配信方向制御部２２２に通知し、配信方向制御部２２２は、通知に応じて、サブイベントを開始するためのコンテンツを自動配信する。
本例では、サブイベントＢとサブイベントＣが同時刻同会場で設定されており、ゲストの投票数によって、いずれかのサブイベントが先行実施される。すなわち、シナリオが分岐しており、ゲストの投票によってイベントの内容や順序が変化する。
これにより、ゲストのイベントへの参画をより強く促すことができる。
【符号の説明】
【００５０】
１…コンテンツ配信システム
２…配信サーバ
２２…配信プログラム
３…プロジェクタ
４…プリンタ
５…ＩｏＴセンサ
８…印刷物
【図１】
2020027339.tif 000003
【図２】
2020027339.tif 000004
【図３】
2020027339.tif 000005
【図４】
2020027339.tif 000006
【図５】
2020027339.tif 000007
【図６】
2020027339.tif 000008
【図７】
2020027339.tif 000009
【図８】
2020027339.tif 000010
【図９】
2020027339.tif 000011
【図１０】
2020027339.tif 000012
【図１１】
2020027339.tif 000013
【図１２】
2020027339.tif 000014